(57)【要約】      （修正有）【課題】表示性能を低下させることなく、画面端部におけるセンシング性能を向上することができる表示装置を提供する。【解決手段】表示装置は、マトリクス状に配された画素回路と、複数の画素回路の行間に配置されて誘電体と検知電極との間の容量結合の強弱を表す電圧を出力する複数のセンサ回路とを備え、それぞれの行間に行方向に沿って配される複数の検知電極は、所定長さの複数の第１の電極と、行方向の少なくとも一方の端部に配される第１の電極よりも短い第２の電極とからなり、少なくとも一つの第２の電極は、隣接する第１の電極と電気的に接続されている。【選択図】図７
2014032603.tif 000002
【特許請求の範囲】
【請求項１】
マトリクス状に配された画素回路と、
前記複数の画素回路の行間に配置されて誘電体と検知電極との間の容量結合の強弱を表す電圧を出力する複数のセンサ回路とを備え、
それぞれの行間に行方向に沿って配される複数の前記検知電極は、所定長さの複数の第１の電極と、行方向の少なくとも一方の端部に配される前記第１の電極よりも短い第２の電極とからなり、
少なくとも一つの第２の電極は、隣接する第１の電極と電気的に接続されている、表示装置。
【請求項２】
少なくとも一つの前記第２の電極は、行方向に隣接する第１の電極と電気的に接続される、請求項１に記載の表示装置。
【請求項３】
少なくとも一つの前記第２の電極は、列方向に隣接する第１の電極と電気的に接続される、請求項１に記載の表示装置。
【請求項４】
前記第１の電極と第２の電極とを接続する接続線は、前記検知電極と同一基板上の同一層に形成される、請求項２又は３に記載の表示装置。
【請求項５】
前記第１の電極と第２の電極とを接続する接続線は、前記検知電極と同一基板上の異なる層に形成される、請求項３に記載の表示装置。
【請求項６】
前記接続線は、前記複数の画素それぞれに映像信号を供給する信号線と略同一サイズである、請求項５に記載の表示装置。
【発明の詳細な説明】
【技術分野】
【０００１】
本発明の実施形態は、表示装置に関する。
【背景技術】
【０００２】
ユーザインタフェースの形としてタッチパネル機能を具備した表示装置を搭載した携帯電話や携帯情報端末、パーソナルコンピュータなどの電子機器が開発されている。このようなタッチパネル機能を具備した電子機器では、液晶表示装置や有機ＥＬ表示装置などの表示装置に、別途タッチパネル基板を貼り合わせることでタッチパネル機能を付加することが検討されている。
【０００３】
また、近年、ＣＶＤ（Chemical Vapor Deposition）法等によりガラス基板等の透明な絶縁基板上にさまざまな材料で薄膜を形成し、切削や研削等の作業を繰り返し行うことにより、走査線や信号線からなる表示素子や、光センサ素子等を形成して、画像読み取り装置を製造する技術が研究されている。
【０００４】
また、画像読み取り装置の読み取り方式として、光センサ素子等に替えて導電性の電極を配置し、この電極と指等との間の容量変化によりパネル表面の指等の情報を検知するいわゆる静電容量方式により接触位置を検出する技術が研究されている。
【先行技術文献】
【特許文献】
【０００５】
【特許文献１】特開２００４−９３８９４号公報
【発明の概要】
【発明が解決しようとする課題】
【０００６】
そして静電容量方式を用いた表示装置では、液晶などの表示パネル中にセンサ機能を組み込む、いわゆるインセル技術が盛んに開発されている。インセル技術によれば、別途作成したタッチパネルを液晶等に貼り合わせる必要がないため、電子機器全体の厚さや重量の増加を回避することが可能になる。さらに液晶等とタッチパネルの間に界面が存在しないため、界面で生じやすい光の反射が発生しないので、表示品位の点でも優れている。
【０００７】
ところで、表示装置を構成する基板上に接触位置を検出するためのセンサ機能を内蔵することによりタッチパネル機能を実現する際には、表示性能の低下を抑制してセンシング性能の向上を図ることが必要である。しかしながら、表示性能の低下を抑制するための対応が、結果として画面の端部におけるセンシング性能の低下を生じさせることがあった。
【０００８】
本発明は、係る事情に鑑みてなされたものであり、表示性能を低下させることなく、画面端部におけるセンシング性能を向上することができる表示装置を提供することを目的とする。
【課題を解決するための手段】
【０００９】
本発明の一態様による表示装置は、マトリクス状に配された画素回路と、前記複数の画素回路の行間に配置されて誘電体と検知電極との間の容量結合の強弱を表す電圧を出力する複数のセンサ回路とを備え、それぞれの行間に行方向に沿って配される複数の前記検知電極は、所定長さの複数の第１の電極と、行方向の少なくとも一方の端部に配される前記第１の電極よりも短い第２の電極とからなり、少なくとも一つの第２の電極は、隣接する第１の電極と電気的に接続されている。
【図面の簡単な説明】
【００１０】
【図１】本実施の形態の表示装置の構成を示す概略の平面図。
【図２】本実施の形態の表示装置の一断面を示す図。
【図３】本実施の形態におけるセンサ回路の等価回路を示す図。
【図４】本実施形態に係る表示装置の駆動方法の一例を説明するためのタイミングチャート。
【図５】本実施の形態の表示装置における画素レイアウトを示す図。
【図６】従来の表示装置における信号線と検知電極のレイアウトを模式的に示す図。
【図７】本実施の形態の表示装置における信号線と検知電極のレイアウトを模式的に示す図。
【図８】本実施のバリエーションの形態の表示装置における信号線と検知電極のレイアウトを模式的に示す図。
【発明を実施するための形態】
【００１１】
以下、本発明の一実施形態に係る表示装置および表示装置の駆動方法について、図面を参照して説明する。
【００１２】
図１は、本実施の形態の表示装置の構成を示す概略の平面図である。  
本実施形態に係る表示装置１は、液晶表示パネルＰＮＬ、及び回路基板６０を備えている。液晶表示パネルＰＮＬの端部には、フレキシブル基板ＦＣ１、ＦＣ２の一端が電気的に接続されている。フレキシブル基板ＦＣ１、ＦＣ２の他端には回路基板６０が電気的に接続されている。
【００１３】
液晶表示パネルＰＮＬは、マトリクス状に配置された複数の画素からなる表示部ＤＹＰと、表示部ＤＹＰの周囲に配置された走査線駆動回路ＹＤと信号線駆動回路ＸＤと、を備えている。そして、回路基板６０は、表示装置の表示動作を制御すると共に、液晶表示パネルＰＮＬに設けられたセンサ回路（後述する）を制御する。即ち、回路基板６０は、外部信号源ＳＳから取得した映像信号を液晶表示パネルＰＮＬに出力する。また回路基板６０は、センサ回路を動作させる信号を供給するとともに、センサ回路から取得した出力信号を制御部６５へ出力する。
【００１４】
図２は、本実施の形態の表示装置の一断面を示す図である。  
本実施形態に係る表示装置１は、液晶表示パネルＰＮＬ、照明ユニット、フレーム４０、ベゼルカバー５０、回路基板６０、及び保護ガラスＰＧＬを備えている。
【００１５】
照明ユニットは、液晶表示パネルＰＮＬの背面側に配置される。フレーム４０は、液晶表示パネルＰＮＬと照明ユニットとを支持する。ベゼルカバー５０は、液晶表示パネルＰＮＬの表示部ＤＹＰを露出させるようにフレーム４０に取り付けられる。回路基板６０は、フレーム４０の背面側に配置される。保護ガラスＰＧＬは、ベゼルカバー５０上に接着剤７０により固定される。
【００１６】
液晶表示パネルＰＮＬは、アレイ基板１０と、アレイ基板１０と対向するように配置された対向基板２０と、アレイ基板１０と対向基板２０との間に挟持された液晶層ＬＱとを備えている。アレイ基板１０は液晶層ＬＱと反対側の主面に取り付けられた偏光板１０Ａを備えている。対向基板２０は液晶層ＬＱと反対側の主面に取り付けられた偏光板２０Ａを備えている。
【００１７】
照明ユニットは、図示しない光源、導光体３２、プリズムシート３４、拡散シート３６、及び反射シート３８を備えている。  
導光体３２は、光源から入射された光を液晶表示パネルＰＮＬ側に向けて出射する。プリズムシート３４および拡散シート３６は、液晶表示パネルＰＮＬと導光体３２との間に配置された光学シートである。反射シート３８は、液晶表示パネルＰＮＬとは反対側の導光体３２の主面と対向するように配置される。プリズムシート３４および拡散シート３６は、導光体３２から出射された光を集光および拡散する。
【００１８】
保護ガラスＰＧＬは、液晶表示パネルＰＮＬの表示部ＤＹＰを外部からの衝撃から保護している。なお、保護ガラスＰＧＬは、省略することも可能である。
【００１９】
続いて、図１に示す表示装置について詳細に説明する。
【００２０】
液晶表示パネルＰＮＬは、一対の電極基板であるアレイ基板１０および対向基板２０間に液晶層ＬＱを挟持した構造である。アレイ基板１０に設けられた画素電極ＰＥおよび対向基板２０に設けられた共通電極ＣＥから液晶層ＬＱに印加される液晶駆動電圧により液晶表示パネルＰＮＬの透過率が制御される。
【００２１】
アレイ基板１０では、複数の画素電極ＰＥが透明絶縁基板（不図示）上において略マトリクス状に配置される。また、複数のゲート線ＧＬが複数の画素電極ＰＥの行に沿って配置され、複数の信号線ＳＬが複数の画素電極ＰＥの列に沿って配置される。
【００２２】
各画素電極ＰＥおよび共通電極ＣＥは例えばＩＴＯ（Indium Tin Oxide）等の透明電極材料からなり、それぞれ配向膜ＡＬで覆われる。画素電極ＰＥおよび共通電極ＣＥは液晶層ＬＱの一部である画素ブロックと共に液晶画素ＰＸを構成する。
【００２３】
ゲート線ＧＬおよび信号線ＳＬの交差位置近傍には、複数の画素スイッチＳＷＰが配置される。各画素スイッチＳＷＰは、例えば薄膜トランジスタ（ＴＦＴ : Thin Film Transistor）であって、ゲートがゲート線ＧＬに接続され、ソース−ドレインパスが信号線ＳＬおよび画素電極ＰＥ間に接続され、対応ゲート線ＧＬを介して駆動されたときに対応信号線ＳＬおよび対応画素電極ＰＥ間で導通する。
【００２４】
更に、アレイ基板１０には、センサ回路１２が設けられ、このセンサ回路１２を駆動するためのカップリングパルス線ＣＰＬ、プリチャージゲート線ＰＧＬ、および、読み出しゲート線ＲＧＬが、複数の画素電極ＰＥの行に沿って配置される。  
なお、本実施形態では、信号線ＳＬは、センサ回路１２を駆動する信号を供給するプリチャージ線ＰＲＬ、および、読み出し線ＲＯＬとしても用いられる。この詳細の動作については後述する。
【００２５】
走査線駆動回路ＹＤは、複数のゲート線ＧＬに画素スイッチＳＷＰをオンする（ソース−ドレインパスを導通させる）ためのゲート電圧を供給して、ゲート線ＧＬを順次駆動する。また、走査線駆動回路ＹＤは、複数のカップリングパルス線ＣＰＬ、複数のプリチャージゲート線ＰＧＬおよび複数の読み出しゲート線ＲＧＬを所定のタイミングで駆動して、センサ回路１２を駆動させる。
【００２６】
信号線駆動回路ＸＤは、ソース−ドレインパスが導通した画素スイッチＳＷＰを介して、信号線ＳＬから画素電極ＰＥへ映像信号を供給する。
【００２７】
また、不図示の共通電極駆動回路は、共通電極ＣＥに共通電圧Ｖｃｏｍを供給する。共通電極駆動回路は、必要に応じて、共通電極ＣＥに供給する共通電圧Ｖｃｏｍの極性を反転させて、表示装置１の極性反転方式に対応するように液晶層ＬＱに印加される電圧の極性を反転させる。
【００２８】
回路基板６０は、マルチプレクサＭＵＸ、Ｄ／Ａ変換部ＤＡＣ、Ａ／Ｄ変換部ＡＤＣ、インタフェース部Ｉ／Ｆ、及びタイミングコントローラＴＣＯＮＴを備えている。
【００２９】
タイミングコントローラＴＣＯＮＴは、回路基板６０に搭載される各部の動作、走査線駆動回路ＹＤ、信号線駆動回路ＸＤ、共通電極駆動回路及びセンサ回路１２の動作を制御する。
【００３０】
外部信号源ＳＳからインタフェース部Ｉ／Ｆを介して取り込まれたデジタル映像信号は、Ｄ／Ａ変換部ＤＡＣによってアナログ信号に変換され、所定のタイミングでマルチプレクサＭＵＸにより信号線ＳＬに出力される。
【００３１】
センサ回路１２からの出力信号は、マルチプレクサＭＵＸにより所定のタイミングでＡ／Ｄ変換部ＡＤＣへ供給され、デジタル信号に変換されて、インタフェース部Ｉ／Ｆに供給される。インタフェース部Ｉ／Ｆは、受信したデジタル信号を制御部６５へ出力する。制御部６５は、受信したデジタル信号により接触有無の検知、及び座標計算を行なって、指先やペン先等が接触した座標位置を検出する。
【００３２】
図３は、本実施の形態におけるセンサ回路１２の等価回路を示す図である。  
センサ回路１２は、検知電極１２Ｅ、プリチャージ線ＰＲＬ、読み出し線ＲＯＬ、プリチャージゲート線ＰＧＬ、カップリングパルス線ＣＰＬ、読み出しゲート線ＲＧＬ、プリチャージスイッチＳＷＡ、カップリング容量Ｃ１、増幅用スイッチＳＷＢ、および、読み出し用スイッチＳＷＣを備えている。
【００３３】
検知電極１２Ｅは、接触体の有無による検知容量の変化を検出する。プリチャージ線ＰＲＬは、検知電極１２Ｅにプリチャージ電圧を供給する。読み出し線ＲＯＬは、検知電極１２Ｅの電圧を取り出す。プリチャージゲート線ＰＧＬ、カップリングパルス線ＣＰＬ、読み出しゲート線ＲＧＬは、センサ回路１２の動作を駆動するための信号を供給する。
【００３４】
プリチャージスイッチＳＷＡは、プリチャージ電圧を検知電極１２Ｅへ書き込み、かつ保持するためのスイッチである。カップリング容量Ｃ１は、検知電極１２Ｅに検知容量の変化による電圧差を生じさせる。増幅用スイッチＳＷＢは、検知電極１２Ｅに生じた電圧差を増幅するためのスイッチである。読み出し用スイッチＳＷＣは、増幅された電圧差を読み出し線ＲＯＬへ出力し、かつ保持するためのスイッチである。
【００３５】
プリチャージ線ＰＲＬ、および、読み出し線ＲＯＬは信号線ＳＬと共通の配線を用いている。なお、センサ回路１２は複数の画素ＰＸに対して１つ配置されるため、信号線ＳＬの一部が共用されることになる。
【００３６】
プリチャージスイッチＳＷＡは例えばｐ型の薄膜トランジスタであって、ゲート電極がプリチャージゲート線ＰＧＬと電気的に接続され（あるいは一体に構成され）、ソース電極がプリチャージ線ＰＲＬと電気的に接続され（あるいは一体に構成され）、ドレイン電極が検知電極１２Ｅと電気的に接続され（あるいは一体に構成され）ている。
【００３７】
増幅用スイッチＳＷＢは例えばｐ型の薄膜トランジスタであって、ゲート電極が検知電極１２Ｅと電気的に接続され（あるいは一体に構成され）、ソース電極がカップリングパルス線ＣＰＬと電気的に接続され（あるいは一体に構成され）、ドレイン電極が読み出し用スイッチＳＷＣのソース電極と電気的に接続され（あるいは一体に構成され）ている。
【００３８】
読み出し用スイッチＳＷＣは例えばｐ型の薄膜トランジスタであって、ゲート電極が読み出しゲート線ＲＧＬと電気的に接続され（あるいは一体に構成され）、ソース電極が増幅用スイッチＳＷＢのドレイン電極と電気的に接続され（あるいは一体に構成され）、ドレイン電極が読み出し線ＲＯＬと電気的に接続され（あるいは一体に構成され）ている。
【００３９】
図４は、本実施形態に係る表示装置１の駆動方法の一例を説明するためのタイミングチャートである。
【００４０】
プリチャージゲート線駆動波形（プリチャージゲート信号波形）は、プリチャージゲート線ＰＧＬに印加され、プリチャージ用スイッチＳＷＡのゲ−ト電極端子に入力される。この結果、プリチャージパルスがオンレベル（ローレベル）のタイミングでプリチャージ線ＰＲＬからプリチャージ電圧Ｖｐｒｃがプリチャージ用スイッチＳＷＡを通じて検知電極１２Ｅに書き込まれる。
【００４１】
カップリングパルス線駆動波形は、カップリングパルス線ＣＰＬに印加され、カップリング容量Ｃ１を介して接触体の有無により検知電極１２Ｅの電位を変動させる。検知電極電位波形は検知電極１２Ｅの電位変動を示したものであり、検知電極電位(指なし)と、検知電極電位(指あり)との間に電圧差を生じさせることができる。
【００４２】
増幅用スイッチＳＷＢのゲート−ソース（ＧＳ）間電圧波形は検知電極１２Ｅで生じた電圧差が増幅用スイッチＳＷＢの動作点の差に反映されることを示している。ゲート−ソース（ＧＳ）間電圧(指なし)とゲート−ソース（ＧＳ）間電圧(指あり)とで電圧差が生じる。読み出しゲート線駆動波形は、読み出しゲート線ＲＧＬに印加され、読み出し用スイッチＳＷＣのゲ−ト電極端子に入力される。
【００４３】
この結果、読み出しゲート線ＲＧＬに印加されたパルスがオンレベルのタイミングでカップリングパルスの変動後の電位が増幅用スイッチＳＷＢ、および読み出し用スイッチＳＷＣを介して読み出し線ＲＯＬに出力される。読出し線ＲＯＬに出力される電圧波形はこの電圧変動を示したものであり、出力電圧(指あり)と出力電圧(指なし)との間には電圧差が生じる。
【００４４】
センサ回路１２を駆動する場合、まず、タイミングコントローラＴＣＯＮは走査線駆動回路ＹＤを制御して、プリチャージゲート線ＰＧＬに印加する電圧をロー（Ｌ）レベルにしてプリチャージスイッチＳＷＡをオンさせる。タイミングコントローラＴＣＯＮは信号線駆動回路ＸＤを制御してプリチャージ線ＰＲＬにプリチャージ電圧を印加して、スイッチＳＷＡを介して検知電極１２Ｅにプリチャージ電圧を印加する。
【００４５】
次に、タイミングコントローラＴＣＯＮは、プリチャージスイッチＳＷＡをオフさせた後、走査線駆動回路ＹＤを制御して、カップリングパルス線ＣＰＬをハイ（Ｈ）レベルとする。カップリングパルスがローレベルからハイレベルへ変化すると、カップリング容量Ｃ１により検知電極１２Ｅの電位に電圧が重畳される。このとき、検知電極１２Ｅに重畳される電圧の大きさは、検知電極１２Ｅと接触体との間の容量によって異なる。
【００４６】
例えば、検知電極１２Ｅの上方の対向基板２０に指やペン先等が接触している場合には、検知電極１２Ｅと指との間に容量が生じる。検知電極１２Ｅの上方において指先やペン先等が接触している場合には、指先やペン先等が無い場合と比較して検知電極１２Ｅに重畳される電圧の大きさが小さくなる。
【００４７】
検知電極１２Ｅの電位に応じて、増幅用スイッチＳＷＢのオン抵抗が異なる。本実施形態では、検知電極１２Ｅの上方において指先やペン先等が接触している場合には増幅用スイッチＳＷＢのオン抵抗が低下し、検知電極１２Ｅの上方において指先やペン先等が接触していない場合には増幅用スイッチＳＷＢのオン抵抗が比較的高くなる。
【００４８】
次に、タイミングコントローラＴＣＯＮは走査線駆動回路ＹＤを制御して、読み出しゲート線ＲＧＬの電圧をローレベルとして読み出し用スイッチＳＷＣをオンさせる。検知電極１２Ｅの上方において指先やペン先等が接触している場合には、読み出し用スイッチＳＷＣがオンすると、増幅用スイッチＳＷＢおよび読み出し用スイッチＳＷＣを介してカップリングパルスが読み出し線ＲＯＬへ供給される方向に働く。
【００４９】
したがって、指先やペン先等が接触している場合には、読み出し線ＲＯＬの電位がカップリングパルス電位に向かって変化する。指先やペン先等が接触していない場合には、指先やペン先等が接触している場合よりも読み出し線ＲＯＬの電位の変化が小さくなる。
【００５０】
そこで、読み出しゲート線ＲＧＬがオンしてからの出力期間Ｔｒｅａｄ経過時での出力電圧(指あり)と出力電圧(指なし)との出力電圧差を検出することにより指先やペン先等が接触している位置を検出することが可能となる。
【００５１】
図５は、本実施の形態の表示装置における画素レイアウトを示す図である。図５に示すように、隣接する２つの画素行ごとに、それぞれの行の画素ＰＸを互いに向かいあわせるように配置する。そして、その２つの画素行間に所要のスペースを設け、そのスペースに検知電極１２Ｅを含むセンサ回路１２を形成する。
【００５２】
検知電極１２Ｅは、行方向に沿った複数の画素ＰＸにわたる区間に一つ配置される。そして、プリチャージゲート線ＰＧＬ、カップリングパルス線ＣＰＬ、読出しゲート線ＲＧＬが行方向に沿って配設されている。また、画素ＰＸの列方向に沿って信号線ＳＬ（プリチャージ線ＰＲＬ、読出し線ＲＯＬを兼ねる）が設けられ、それぞれプリチャージスイッチＳＷＡ、読み出し用スイッチＳＷＣと接続されている。
【００５３】
このように、一つの検知電極１２Ｅが行方向に沿った複数の画素ＰＸにわたる区間に設けられるのは、接触体（誘電体）との容量変化を感度良く検知するためである。一方、接触体である指を検知するためには所要の分解能（約３ｍｍ程度）が必要である。従って、検知電極１２Ｅの長さには上限がある。検知電極１２Ｅの長さとして、例えば、１００画素程度の長さを設定することができる。
【００５４】
図６は、従来の表示装置における信号線と検知電極のレイアウトを模式的に示す図である。
【００５５】
従来の表示装置では、奇数列の信号線ＳＬ１、ＳＬ３、・・・は偶数行の検知電極１２Ｅと電気的に接続し、偶数列の信号線ＳＬ２、ＳＬ４、・・・は奇数行の検知電極１２Ｅと電気的に接続している。また、検知電極１２Ｅの長さ、及び検知電極１２Ｅの信号線ＳＬと接続する位置はいずれも同一として構成している。従って、センサ電極１２Ｅは、行毎に千鳥状にオフセットして配置される。このように配置するのは、信号線ＳＬは、表示を行うための信号を画素ＰＸに供給する機能を担っているため、センサ検知回路を動作させるそれぞれの信号線ＳＬに接続される負荷を同一とすることで、表示機能の低下が生じることを回避するためである。
【００５６】
しかしながら、このように検知電極１２Ｅを配置した結果、図６に示すように、画面の左右端において、信号線ＳＬに接続されず、検出のための電極として利用できないフローティングのセンサ電極１２Ｅが形成されていた。従って、画面の左右端部においては、センシング性能が画面中央部や上下端部と比較して低下する要因となっていた。
【００５７】
図７は、本実施の形態の表示装置における信号線と検知電極のレイアウトを模式的に示す図である。
【００５８】
図７では、画面の左右端部に存在していたフローティングのセンサ電極１２Ｅが、左右（行）方向に隣接するセンサ電極１２Ｅと接続されている。この結果、画面の左右端部におけるセンシングの不感帯を解消して、左右端部においても指とセンサ電極１２Ｅとで形成される容量を正しく捉えることができる。
【００５９】
図８は、本実施のバリエーションの形態の表示装置における信号線と検知電極のレイアウトを模式的に示す図である。
【００６０】
図８では、画面の左右端部に存在していたフローティングのセンサ電極１２Ｅが、上下（列）方向に隣接するセンサ電極１２Ｅと接続されている。この結果、画面の左右端部におけるセンシングの不感帯を解消して、左右端部においても指とセンサ電極１２Ｅとで形成される容量を正しく捉えることができる。
【００６１】
このバリエーションの形態では、上下（列）方向に隣接するセンサ電極１２Ｅを接続するための配線領域が必要となる。通常では、上下のセンサ電極１２Ｅは接続されていないため、液晶表示パネルＰＮＬの設計に際し、図８に示す接続がなされたパターニングを行う。例えば、同層のセンサ電極１２Ｅを接続する配線を設けても良く、異なる層に設けた接続する配線とコンタクトホールを介して接続するようにしても良い。なお、この接続する配線のサイズ（幅）が大きいと電極のサイズが増大することになるため、例えば信号線ＳＬと同程度のサイズ（幅）とすることが望ましい。
【００６２】
[本実施の形態のバリエーション]  
上述の実施の形態は、種々のバリエーションの形態として構成することができる。
【００６３】
（１）上述の実施の形態においては、アクティブ型のセンサ回路を有するタッチパネルについて説明したが、アクティブ型のセンサ回路は上述の構成に限られない。またパッシブ型のセンサ回路を有するタッチパネルについても同様に適用することができる。
【００６４】
（２）上記実施形態に係る表示装置１は、ＴＮ(Twisted Nematic)モード、ＩＰＳモード、ＯＣＢ(Optically Compensated Bend)モード等の表示モードを採用する液晶表示装置であってもよい。
【００６５】
（３）上記実施形態に係る表示装置は、カラー表示タイプ、白黒表示タイプの表示装置にも適用可能である。
【００６６】
（４）センサ回路１２は、読み出し用スイッチＳＷＣおよび読み出しゲート線ＲＧＬを省略してもよい。その場合には、増幅用スイッチＳＷＢのドレイン電極と読み出し線ＲＯＬとが電気的に接続される。
【００６７】
（５）カップリングパルスはゲート線ＧＬから供給しなくても良く、例えば信号線ＳＬと並行した配線を追加してカップリングパルス線としても良い。
【００６８】
（６）なお、タイミングコントローラＴＣＯＮは、回路基板６０に設けられる態様に限られず、外部に設けられても良く、ＴＦＴ基板上に設けられても良い。
【００６９】
（７）増幅用スイッチＳＷＢは、実施の形態に限られず増幅器（アンプ）を用いて構成しても良い。
【００７０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７１】
ＤＹＰ…表示部、ＰＮＬ…液晶表示パネル、ＬＱ…液晶層、ＹＤ…走査線駆動回路、ＸＤ…信号線駆動回路、１０…アレイ基板、１２…センサ回路、１２Ｅ…検知電極、２０…対向基板、ＰＸ…表示画素、ＰＥ…画素電極、ＳＷＰ…画素スイッチ、ＣＥ…共通電極、ＧＬ…走査線、ＳＬ…信号線、ＰＧＬ…プリチャージゲート線、ＲＧＬ…読み出しゲート線、ＣＰＬ…カップリングパルス線、ＲＯＬ…読み出し線、ＰＲＬ…プリチャージ線、ＳＷＡ…プリチャージスイッチ、Ｃ１…カップリング容量、ＳＷＢ…増幅用スイッチ、ＳＷＣ…読み出し用スイッチ、ＴＣＯＮ…タイミングコントローラ、１００…センサ、１１０…ブロック。
【図１】
2014032603.tif 000003
【図２】
2014032603.tif 000004
【図３】
2014032603.tif 000005
【図４】
2014032603.tif 000006
【図５】
2014032603.tif 000007
【図６】
2014032603.tif 000008
【図７】
2014032603.tif 000009
【図８】
2014032603.tif 000010